(57)【特許請求の範囲】
【請求項１】
靴底部において、靴長方向に分割した外底の対向する両側面に、屈伸板の両端面を固着又は一体に形成し、屈伸板の変形による上向きの突出面と下向きの溝を、それぞれ靴幅方向に連続して設け、上方向に屈曲したことを特徴とする靴。
【請求項２】
屈伸板を靴底部の足指の付け根部分に設けたことを特徴とする請求項１の靴。
【請求項３】
屈伸板を靴底部の足指の付け根部分とかかと前方部分の２ヵ所に設けたことを特徴とする請求項１の靴。
【発明の詳細な説明】
【０００１】
【産業上の利用分野】
本発明は、靴底部の弾力性と共に屈曲性・耐久性・安定性に優れ、また着脱が簡単で換気が良好な、足と全身の保健と運動に適した靴に関するものである。
【０００２】
【従来の技術】
従来の靴にはその用途に応じたさまざまな形状と機能がある。特に近年では、足の健康と歩行等の運動に対する関心が高まるに伴って、足をおおう靴上部と、足の裏を保護する靴底部に、より柔軟で弾力のある素材を使用するようになった。しかし、直立時や歩行等の運動時にかかる足への負担を軽減するため、靴底部に柔軟で弾力の大きいゴム等を使用した場合、その弾力が中足関節や足関節の屈曲に対する抵抗力となるため、屈曲性が逆に悪くなる欠点があった。また靴底部の屈曲抵抗は、亀裂や磨耗等の原因になると共に、靴擦れやつまずき等の原因にもなるため、耐久性・安定性も同時に悪くなる。さらに、足を靴に固定するため、靴上部で紐等の固定具を使用した場合、足の着脱が困難になると共に、靴内部に発生した熱や蒸気がこもる欠点があった。以上のような問題を解決するために、現在までにいくつかの方法が提案されている。例えば、靴底部の弾力性・屈曲性対策は、▲１▼相対して弓形等に湾曲した材料を複数組み合わせた中底（特公平４−８０６８１）、▲２▼中底の突起を外底の溝に埋設した靴（特開平８−１８２５０４）、また靴の換気対策は、▲３▼分離式換気装置を設けた靴底（特開平８−２０５９０２）がある。
【０００３】
【発明が解決しようとする課題】
しかし、従来の技術▲１▼▲２▼で靴底部を内底・中底・外底より構成される３層構造として弾力を大きくする場合に、その層の厚さに比例して、▲１▼の靴底部全体に、▲２▼の内底と中底特に突起部分に、それぞれ発生する屈曲抵抗も大きくなるため、屈曲性・耐久性・安定性に問題がある。また、従来の技術▲３▼では靴底部に中空の気嚢が必要で、排気時にその屈曲抵抗が大きくなる欠点がある。本発明の目的は、靴底部の弾力性と共に屈曲性・耐久性・安定性に優れた靴を提供することにある。また本発明の他の目的は、足の固定具や換気装置を特に必要とせずに、足の着脱が簡単で換気が良好な靴を提供することにある。
【０００４】
【課題を解決するための手段】
本発明による靴は、皮革・繊維・ゴム・樹脂等の柔軟な素材を使用した靴上部と、ゴム・樹脂・又はその発泡体等の柔軟で弾力の大きい素材を使用した靴底部との２部材より構成され、靴底部は内底と外底及び屈伸板より構成される。内底の底面２ヵ所以上に、外底を靴長方向に分割して固着又は一体に形成し、内底の底面と外底の対向する両側面による下向きの溝を、靴幅方向に連続して設ける。この溝により靴底部は靴の下方向から上方向に屈伸自在となる。次に、屈伸板の表面を溝の表面に好ましくは一致して固着する。すなわち、屈伸板の両端面を溝の両側面に固着し、その中央の屈曲面で内底の底面を押し上げる。又は同様に、外底を屈伸板に固着又は一体に形成した後、内底の底面に固着する。その結果、弓形等に変形した屈伸板により、上向きに突出した内底の上面と下向きの溝が、それぞれ靴幅方向に連続して形成され、その弾力により靴は上方向に屈曲する。一方、直立時や歩行等の運動時に発生する圧力や衝撃は、足指の付け根とかかとの突出した部分に強くかかり、特に足指の付け根は中足関節があるため、一般にまめ・たこ・うおのめ等の皮膚障害や外反母趾等の関節障害が発生しやすい場所であることが知られている。また、つま先立ちやかかと立ち状態の靴の屈曲で、外底の底面に発生する張力は、足指の付け根とかかと前方の２ヵ所に強くかかり、その部分は一般に亀裂等の劣化が発生しやすい場所であることが知られている。従って、足への負担や障害と共に靴底部の劣化を減少するために重要な屈伸板は、靴底部の足指の付け根部分に設けて、屈曲性・耐久性・安定性を良くすることが好ましく、またその部分とかかと前方部分の２ヵ所に設けることが特に好ましい。さらにこの２ヵ所の屈伸板で靴を足に固定すると共に、内底と土踏まずとの隙間をあけて、着脱性と換気性を良くすることが特に好ましい。
【０００５】
【作用】
弓形等に変形した屈伸板による圧力は、外底の対向する両側面にかかる一方、外底の底面には靴の屈曲による抵抗はなく張力はかからない。また屈伸板による圧力が内底の底面にかかり、張力がその突出面にかかる。屈伸板の弾力により上方向に屈曲した靴を、下方向に伸張すると屈伸板は屈曲して弾力が大きくなり、逆に上方向に屈曲すると屈伸板は伸張して弾力が小さくなる。従って、本靴を足に着用すると、足底面による圧力で靴が伸張し、屈伸板の弾力により外底の対向する両側面に圧力がかかる結果、靴は内底の上面を足底面に密着して固定する。特に屈伸板は、内底の突出面をつま先とかかとに密着して固定する一方、内底と土踏まずとの隙間をあける。次に直立や歩行等の運動で、体重による圧力や衝撃が足底面、特に足指の付け根とかかとにかかると、屈伸板はさらに変形しながら、その弾力を外底の対向する両側面に分散する。一方つま先立ちやかかと立ち状態の靴の屈曲で、屈伸板は中足関節や足関節の屈曲する方向に伸張し、その弾力で関節の運動を助けながら靴を柔軟に屈曲して、外底の底面を地面に密着させる。さらに、以上のような屈伸板の屈伸に連動して外底が上下するため、靴は内底と土踏まずとの隙間の空気を靴上部の開口部から排出・吸入して、内部に発生する熱や蒸気を外部へ放散する。
【０００６】
【実施例】
本例による靴は、柔軟な皮革を使用した靴上部と、柔軟で弾力の大きいゴムを使用した靴底部より構成され、図1と図２に示すように、内底１の底面において、つま先・土踏まず・かかとの３ヵ所に、それぞれ外底２・３・４を固着又は一体に形成し、足指の付け根部分の底面1ａとかかと前方部分の底面1ｂの２ヵ所に、それぞれ対向する外底の側面２ａ・３ａと３ｂ・４ｂによる溝７・８を設ける。次に、図３に示すように、屈伸板５・６の表面を溝７・８の表面にそれぞれ一致して固着する。すなわち、屈伸板５・６の両端面を溝７・８の両側面に固着し、その中央の屈曲面で内底１の底面１ａ・１ｂを押し上げる。その結果、弓形に変形した屈伸板５・６により、上向きに突出した内底１の上面１ｃ・１ｄと下向きの溝が、それぞれ靴幅方向に連続して形成され、屈伸板５・６はその弾力により外底２・４を押し上げて靴を上方向に屈曲する。
【０００７】
図４に示すように、本靴を足に着用し体重による圧力がかからない時、足底面による圧力で外底２・４を押し下げて靴は伸張し、屈伸板５・６の弾力により、内底１の上面を足底面に、特にその突出した上面１ｃ・１ｄをつま先とかかとに、それぞれ密着して固定する一方、内底１の上面と土踏まずとの隙間をあける。次に図５に示すように、直立や歩行等の運動で、体重による圧力や衝撃が足底面、特に足指の付け根とかかとにかかると、屈伸板５・６はさらに変形しながら弾力を外底に分散する。一方図６と図７に示すように、つま先立ちやかかと立ち状態の靴の屈曲により、屈伸板５・６は、中足関節や足関節の屈曲する方向に伸張し、その弾力で関節の運動を助けながら、靴底部を柔軟に屈曲して、外底２・３・４の各底面を地面に密着させる。さらに図４と図５から明らかなように、外底３は外底２・４と逆方向に上下するために、靴は内底１と土踏まずとの隙間の空気を靴上部の開口部から排出・吸入して、内部に発生する熱や蒸気を外部へ放散する。
【０００８】
【発明の効果】
本発明による靴を着用して、直立や歩行等の運動をした場合、屈伸板の弾力で足の底面、特に足指の付け根とかかとにかかる圧力や衝撃を吸収し、足への負担や、まめ・たこ・うおのめ・外反母趾・捻挫等の足の障害を減少できる。また、靴が柔軟に屈曲して外底の底面、特につま先とかかとを地面に密着できるため、つま先立ちやかかと立ち状態の靴の屈曲がしやすくなり、亀裂や磨耗等の劣化、靴擦れ等の足の障害、及び靴の滑りやつまずき等を減少できる。また、靴上部の足の固定具を特に必要とせずに、屈伸板の弾力で、内底の上面を足底面に、特につま先とかかとに密着して固定できるため、着脱が簡単になると共に、靴の換気が良くなり、換気装置を特に必要とせずに、熱や蒸気による足の疲労や水虫等の足の病気を減少できる。従って、本発明による靴は従来の靴と比較して、弾力性と共に屈曲性・耐久性・安定性に優れ、また着脱性と共に換気性に優れている。
【図面の簡単な説明】
【図１】左靴上部及び内底と外底の左足透視側面図である。
【図２】内底と外底の底面図である。
【図３】溝に屈伸板を設けて完成した靴の側面図である。
【図４】靴着用時の状態を示す左足透視側面図である。
【図５】靴使用時の直立状態を示す左足透視側面図である。
【図６】靴使用時のつま先立ち状態を示す左足透視側面図である。
【図７】靴使用時のかかと立ち状態を示す左足透視側面図である。
【符号の説明】
１  内底    １ａ  底面    １ｂ  底面
１ｃ  上面    １ｄ  上面
２  外底    ２ａ  側面
３  外底    ３ａ  側面    ３ｂ  側面
４  外底    ４ｂ  側面
５  屈伸板
６  屈伸板
７  溝
８  溝
【図１】
0004120853.tif 000002
【図２】
0004120853.tif 000003
【図３】
0004120853.tif 000004
【図４】
0004120853.tif 000005
【図５】
0004120853.tif 000006
【図６】
0004120853.tif 000007
【図７】
0004120853.tif 000008